(57)【要約】  専用の部材を用いることなく、レンズ装置が単体の状態のときでも軸押さえ部材が脱落しないようにする。  レンズ鏡胴（１０）には、ガイド軸（２５，２６）が取り付けられ、これらにレンズ保持枠（１６，１８）が移動自在に支持されている。ガイド軸（２５，２６）は後端（４４，４５）が第１支持孔（３４，３５）に挿通され、先端（４１，４２）が第２支持孔（３１９  に圧入されている。第１支持孔（３４，３５）には、軸押さえ部材（５０）が嵌合し、後端（４４，４５）を第１支持孔（３４，３５）内に位置決めする。軸押さえ部材（５０）には、撮像素子（７０）が固定されたセンサホルダ（７３）が重ねられる。このセンサホルダ（７３）は後板に固定される、軸押さえ部材（５０）は、センサホルダ（７３）によって、第１支持孔（３４，３５）からの脱落が防止される。
2012128248.tif 000002
【特許請求の範囲】
【請求項１】
レンズを保持するための複数のレンズ保持枠と、
前記レンズの光軸方向に沿って平行に配置され、前記レンズ保持枠を移動自在に支持する複数のガイド軸と、
前板と後板と有するレンズ鏡胴と、
前記後板に形成され、前記各ガイド軸が挿通される複数の第１支持孔と、
前記前板に形成され、前記各第１支持孔に挿通された前記各ガイド軸の先端が圧入される複数の第２支持孔と、
前記各第１支持孔に挿入され、前記ガイド軸の後端面に当接するとともに、前記ガイド軸の外周を前記光軸と直交する方向に押圧する複数の軸押さえ部材と、
前記複数のレンズによって結像された画像を撮像する撮像素子を保持し、前記各軸押さえ部材に重なった状態で、前記後板に固定される撮像素子保持部材と、
を備えていることを特徴とするレンズ装置。
【請求項２】
前記軸押さえ部材は、本体と、この本体から突出した突起とを有し、前記本体の一部が前記ガイド軸の後端面に当接し、前記突起の一部が前記ガイド軸の外周を前記光軸と直交する方向に押圧しており、
第１支持孔は、前記本体の縁部が嵌合する凹部と、前記突起が挿入される矩形の貫通孔とを有している、
ことを特徴とする請求の範囲第１項記載のレンズ装置。
【請求項３】
前記突起は、Ａ字形をしており、その連結片で前記ガイド軸の外周の一部を押圧して、ガイド軸の外周の他の部分を前記矩形の貫通孔の２辺に押し付けていることを特徴とする請求の範囲第２項記載のレンズ装置。
【請求項４】
前記本体の縁部が前記第１支持孔の凹部に嵌合したときに、前記本体は前記後板と同一面となることを特徴とする請求の範囲第３項記載のレンズ装置。
【請求項５】
前記軸押さえ部材は、弾性を有するプラスチックで作成されていることを特徴とする請求の範囲第２項記載のレンズ装置。
【請求項６】
前記本体は、その一部をＵ字形に折り返した受け部を有し、この受け部が前記撮像素子保持部材で押圧されたときに、余分な押圧力を吸収するために変形することを特徴とする請求の範囲第５項記載のレンズ装置。
【請求項７】
前記受け部には、前記撮像素子保持部材を受け止める複数の円ボスが形成されていることを特徴とする請求の範囲第６項記載のレンズ装置。
【請求項８】
前記撮像素子保持部材は、撮像素子が取り付けられたアルミ板であることを特徴とする請求の範囲第２項記載のレンズ装置。
【請求項９】
前記撮像素子保持部材は、撮像素子が接続された回路基板であることを特徴とする請求の範囲第２項記載のレンズ装置。
【発明の詳細な説明】
【技術分野】
【０００１】
本発明は、複数のガイド軸に沿ってレンズ保持枠が移動可能なレンズ装置に関するものである。
【背景技術】
【０００２】
光学機器、例えば監視カメラ、放送用カメラ等のカメラでは、カメラ本体にレンズ装置が取り付けられている。焦点調節機能やズーム機能を有するレンズ装置では、フォーカスレンズや変倍レンズ等の可動レンズが、光軸方向に移動可能に設けられている。可動レンズの移動機構としては、可動レンズを保持したレンズ保持枠と、レンズ保持枠を移動可能に支持するために光軸方向に延びた二本のガイド軸とを備えたものが知られている。レンズ保持枠には、軸穴が形成されたガイド部と、フォーク形状をした回転止め部とが形成され、各ガイド軸に摺動自在に嵌まっている。ガイド部は、ガタつきを防止するために、回転止め部よりも長い。また、隣接する２個のレンズ保持枠の近接を可能するために、各ガイド部は別々のガイド軸に嵌合されている。【０００３】
特許文献１には、箱形をしたレンズ鏡胴を用い、これに２本のガイド軸を取り付けたレンズ装置が記載されている。レンズ鏡胴は、光軸と直交する前板と後板とを有する。この前板には、サイズの小さな矩形孔が２個形成され、後板にはサイズの大きな矩形孔が２個形成されている。二本のガイド軸は、その先端が後板の矩形孔から挿入され、前板の矩形孔に圧入される。後板の矩形孔には押さえ部材が嵌め込まれ、ガイド軸の後端を矩形孔の２辺に押し付けて、ガイド軸を位置決めしている。
【先行技術文献】
【特許文献】
【０００４】
【特許文献１】特開２０１０−０６６７１３号公報
【発明の概要】
【発明が解決しようとする課題】
【０００５】
ガイド軸の位置決め用の押え部材は、上端の係合突起を弾性変形させて、レンズ鏡胴の係合部の裏側に挿入されている。この押え部材は、レンズ鏡胴にしっかりと固定されていないために、カメラ本体への組込み前に、レンズ装置が単体で運搬されている間に、押さえ部材がレンズ鏡胴から脱落するおそれがあった。【０００６】
本発明は、特別な固定部材を用いることなく、押さえ部材がレンズ鏡胴から脱落することがないようにしたレンズ装置を提供することを目的とする。
【課題を解決するための手段】
【０００７】
上記目的を達成するために、本発明は、レンズを保持するための複数のレンズ保持枠と、複数のガイド軸と、前板と後板と有するレンズ鏡胴と、前記後板に形成された複数の第１支持孔と、前記前板に形成された複数の第２支持孔と、前記第1支持孔に取り付けられる複数の軸押さえ部材と、撮像素子保持部材とを備えている。前記複数のガイド軸は、前記レンズの光軸方向に沿って平行に配置され、前記レンズ保持枠を移動自在に支持する。前記複数の第１支持孔は、前記ガイド軸よりもサイズが大きい。前記複数の第２支持孔は、前記各第１支持孔から挿通された前記各ガイド軸の先端が、抜け出ないように圧入される。前記複数の軸押さえ部材は、前記各第１支持孔に挿入され、前記ガイド軸の後端面に当接するとともに、前記ガイド軸の外周を前記光軸と直交する方向に押圧する。前記撮像素子保持部材は、前記複数のレンズによって結像された画像を撮像する撮像素子を保持し、前記各軸押さえ部材に重なった状態で、前記後板に固定されている。【０００８】
軸押さえ部材は、本体と、この本体から突出した突起とを有し、本体の一部が前記ガイド軸の後端面に当接し、突起の一部が前記ガイド軸の外周を光軸と直交する方向に押圧することが望ましい。また、第１支持孔は、本体の縁部が嵌合する凹部と、突起が挿入される矩形の貫通孔とを有していることが望ましい。【０００９】
突起は、Ａ字形をしており、その連結片でガイド軸の外周の一部を押圧して、ガイド軸の外周の他の部分を矩形の貫通孔の２辺に押し付けることが望ましい。軸押さえ部材の本体は、その縁部が第１支持孔の凹部に嵌合したときに、後板と同一面となることが望ましい。【００１０】
軸押さえ部材は、弾性を有するプラスチック製であることが望ましい。軸押さえ部材の本体は、その一部をＵ字形に折り返した受け部を有し、この受け部が撮像素子保持部材で押圧されたときに、余分な押圧力を吸収するために変形することが望ましい。受け部には、撮像素子保持部材を受け止める複数の円ボスが形成されている。【００１１】
撮像素子保持部材としては、撮像素子が取り付けられたアルミ板が好ましい。また、撮像素子保持部材として、撮像素子が接続された回路基板でもよい。
【発明の効果】
【００１２】
本発明によれば、レンズ鏡胴に取り付けた撮像素子保持部材で、軸押え部材の背後を押さえ付けているから、レンズ装置の運搬中に、軸押さえ部材が脱落することがない。また、軸押え部材の脱落防止のために、特別な部品が不要であるから、構造が簡単で、コストを安価にすることができる。
【図面の簡単な説明】
【００１３】
【図１】図１は本発明によるレンズ装置の構成を示す断面図である。
【図２】図２はレンズ鏡胴本体を示す斜視図である。
【図３】図３は軸押さえ部材の背面図である。
【図４】図４は裏側から見た軸押さえ部材の斜視図である。
【図５】図５は表側から見た軸押さえ部材の斜視図である。
【図６】図６は後ろ板側から見たときの軸押さえ部材によるガイド軸の固定状態を示す説明図である。
【図７】図７は第２実施形態のレンズ装置の構成を示す断面図である。
【図８】図８は第３実施形態のレンズ装置の構成を示す断面図である。
【図９】図９は第３実施形態に使用されている軸押さえ部材を示す斜視図である。
【発明を実施するための形態】
【００１４】
図１及び図２において、レンズ装置１０は、監視カメラに用いられるものであり、結像光学系を構成する３個の第１〜第３レンズ群（以下、レンズという）１２，１３，１４を備えている。これらの第１〜第３レンズは、図面では１個のレンズ要素で描かれているが、実際は複数のレンズ要素から構成されている。第１レンズ１２は、焦点距離を変更するバリエータレンズであり、第３レンズ１４は焦点調節をするフォーカスレンズである。これらの第１及び第３レンズは光軸２８に沿って移動する。第２レンズ１３は、リレーレンズであり、動かないように固定されている。変倍時には、第１レンズ１２が移動して像倍率を変更する。焦点調節時には第３レンズ１４が移動する。なお、ズーミングの場合は、第１レンズ１２及び第３レンズ４が移動する。
【００１５】
前記第１〜第３レンズ１２〜１４は、レンズ保持枠１６，１７，１８に保持されている。これらのレンズ保持枠１６〜１８は、レンズ鏡胴２０に収容されている。レンズ保持枠１７はレンズ鏡胴２０に固定されている。レンズ鏡胴２０には、光軸２８と平行な２本のガイド軸２５，２６が取り付けられている。レンズ保持枠１６，１８には、所定の長さが確保されたガイド孔２１，２２と、回転止め用のガイド溝２３，２４が形成されている。これらのガイド孔２１，２２と回転止め用のガイド溝２３，２４は、光軸方向に移動可能に、ガイド軸２５，２６と嵌合している。
【００１６】
図面では省略されているが、レンズ保持枠１６，１８に対して、レンズ保持枠移動機構がそれぞれ設けられている。各レンズ保持枠移動機構は、ステッピングモータと、このステッピングモータで回転される送りネジとを備える。各送りネジは、レンズ保持枠１６、１８に形成したナットと螺合している。変倍又は焦点調節を指示すると、ステッピングモータが回転する。送りネジとナットとの組合せにより、各レンズ保持枠１６，１８がガイド軸２５，２６に沿って移動する。なお、周知のカム機構により、レンズ保持枠１６，１８を移動してもよい。
【００１７】
ガイド軸２５は、レンズ鏡胴２０の後板３３に形成された第１支持孔３４、レンズ保持枠１７に形成された孔３６、レンズ保持枠１６に形成されたガイド孔２１に順次に挿通された後、先端４１が前板３０に形成された第２支持孔３１に圧入される。ガイド軸２６の取り付けの前に、レンズ保持枠１８に形成されたガイド溝２４をガイド軸２５に係合させる。次に、ガイド軸２６は、後板３３に形成された第１支持孔３４、レンズ保持枠１８に形成されたガイド孔２２、レンズ保持枠１７に形成された孔３７、レンズ保持枠１６に形成されたガイド溝２３に順次に挿通された後、先端４２が前板３０に形成された第２支持孔３２に圧入される。
【００１８】
ガイド軸２５，２６は、先端４１，４２と後端４４，４５とを有する。符号４６、４７は、後端４４，４５の端面（後端面）を表している。ガイド軸２５，２６の先端４１，４２が前板３０の第２支持孔３１，３２に圧入されたとき、後板３３に形成された第１支持孔３４，３５内に後端面４６，３７が位置する。そして、後端４４，４５と第１支持孔３４，３５との隙間に、軸押さえ部材５０が嵌め込まれる。なお、軸押さえ部材５０が後板３３に一時的に固定されるように、軸押え部材のサイズを僅か小さくして、第１支持孔３４，３５に押し込むのがよい。
【００１９】
前記ガイド軸２５，２６の先端４１，４２の圧入固定を確実にして、前記第２支持孔３１，３２から抜け出ないようにするには、第２支持孔３１，３３の各辺の長さをガイド軸２５，２６の径よりも小さくする。そして、この短くした領域を肉薄とした弾性変形部とする。この弾性変形部をガイド軸２５，２６で変形させることで発生する弾性力で、ガイド軸２５，２６の先端４１，４２を押圧して、前板３０に確実に固定する。
【００２０】
図３〜図５に示すように、軸押さえ部材５０は、表面５２と裏面５３とを有する板状をした本体５１と、この裏面５３に形成されたＡ字形の突起５５を備えている。この突起５５は、後板３３の第１支持孔３４，３５に挿入される。この状態のときに、裏面５３の一部がガイド軸２５，２６の後端面４６，４７に当接する。突起５５は、Ａ字の「逆Ｖ」を連結する連結片６５が斜めに延びており、その片面が押圧面５６として、ガイド軸２５，２６の後端４４，４５の外周を押圧する。
【００２１】
軸押さえ部材５０は、弾性を有するプラスチックにより形成される。例えば、ウレタン、ナイロン、ポリアセタール等のように、適度な剛性と適度な弾力性を併せ持つものがよい。なお、レンズ鏡胴２０は、アルミ又は硬質プラスチックで作られている。また、ガイド軸２５，２６は、金属で作られている。
【００２２】
図６に示すように、第１支持孔３４は、軸押さえ部材５０の本体５１の縁部に嵌合する凹部６１と、突起５５が挿入される矩形の貫通孔６２とを備えている。本体５１の縁部が凹部６１に嵌合した状態では、本体５０の表面５２は後板３３と同一面となる。貫通孔６２の矩形を形成する四辺６３〜６６のうち、隣り合う２辺６３，６４とガイド軸２５の隙間に突起５５が圧入される。これにより、ガイド軸２５の外周が突起５５の押圧面５６によって、隣り合う２辺６５，６６に押圧され、所定の位置に位置決めされる。突起５５の外周縁には面取りが施され、隙間への挿入がし易いようになされている。なお、第１支持孔３５と、これに嵌合する軸押さえ部材５０も同様である。
【００２３】
軸押さえ部材５０によって、ガイド軸２５，２６をレンズ鏡胴２０に固定した後に、図１に示すように、赤外カットフィルタ６９と撮像素子７０とが配置される。この赤外カットフィルタ６９は、レンズ鏡胴２０に取り付けた赤外カットフィルタ挿脱装置（図示せず）で駆動される。
【００２４】
前記撮像素子７０は、アルミ板７１に固着されている。このアルミ板の背後には、回路基板７２が固定され、これに撮像素子７０が半田付けされている。アルミ板７１は、センサホルダ（撮像素子保持部材）７３に固定される。センサホルダ７３は、板状をしており、レンズ鏡胴本体２０の後板３３に重ねられ、その上からネジ止めされる。このセンサホルダ７３は、軸押さえ部材５０を覆う位置に脱落防止面７４が設けられ、軸押さえ部材５０の表面５２に当接している。これにより、レンズ装置１０が監視カメラの本体に取り付けられる前に、レンズ装置１０が単体で搬送されているときに、軸押さえ部材５０が第１支持孔３４，３５から抜け出て、後板３３から脱落するのが防止される。
【００２５】
図７は、レンズ装置の第２実施形態を示すものである。アルミ板（撮像素子保持部材）７５に回路基板７６が固定されている。撮像素子７０は、アルミ板７５に固着されるとともに、回路基板７６に接続されている。また、撮像素子７０を覆うセンサカバー７７は、アルミ板７５に固定されている。このアルミ板７５は、レンズ鏡胴２０の後板３３にネジ止め（図示せず）される。アルミ板７５には、軸押さえ部材５０を覆う位置に脱落防止面７８が設けられている。この脱落防止面７８は、軸押さえ部材５０の本体５５の表面５２に当接して、第１支持孔３４，３５からの脱落を防止している。
【００２６】
図８及び図９は、レンズ装置の第３実施形態を示す。撮像素子７０は、アルミ板８１に固着されている。このアルミ板８１は、回路基板（撮像素子保持部材）８２に固定されている。撮像素子７０をカバーしているセンサカバー８３は、回路基板８２に固定されている。回路基板８２は、レンズ鏡胴本体２０の後板３３にネジ止め（図示せず）される。回路基板８２には、軸押さえ部材８０を覆う位置に脱落防止面８４が設けられ、軸押さえ部材８０の押当受部８５に当接して、軸押さえ部材８０の第１支持孔３４，３５からの脱落を防いでいる。なお、軸押さえ部材８０に代えて、前述した軸押さえ部材５０を用いてもよい。逆に、軸押さえ部材８０を第１及び第２実施形態に採用しても良い。
【００２７】
図９に示すように、軸押さえ部材８０は、脱落防止面８４に当接する受け部８５を有する。この受け部８５は、本体８６の一端側をＵ字形に折り返した板状部分（延長部分）であり、脱落防止面８４で押圧される。受け部８５の平坦面には、小さな球面をした円ボス８８が複数個形成され、脱落防止面８４と接触する。受け部８５は、脱落防止面８４で押圧されたときにＵ字形の湾曲部分によって弾性変形し、脱落防止面８４から受ける余分な押圧力を吸収して、回路基板８２やガイド軸２５，２６などに不要な力が作用しないようにしている。
【００２８】
前記レンズ鏡胴は、前板と後板とが鏡胴本体と一体に形成されているが、鏡胴本体に前板と後板とを固定してもよい。また。本発明のレンズ装置は、前述した監視カメラの他に、放送用カメラや、自動車用事故記録カメラ等に利用することができる。
【符号の説明】
【００２９】
１０  レンズ装置
１２，１３，１４  レンズ
１６，１７，１８  レンズ保持枠
２０  レンズ鏡胴
２５，２６  ガイド軸
３１，３２  第２支持孔
３４，３５  第１支持孔
５０，８０  軸押さえ部材
５１  本体
５５  突起
５６  連結片
６３〜６５  四辺
７０  撮像素子
７１，８１  アルミ板
７２，７６  回路基板
７３  センサホルダ
７５  アルミ板
８２  回路基板
８５  受け部  
【図１】
2012128248.tif 000003
【図２】
2012128248.tif 000004
【図３】
2012128248.tif 000005
【図４】
2012128248.tif 000006
【図５】
2012128248.tif 000007
【図６】
2012128248.tif 000008
【図７】
2012128248.tif 000009
【図８】
2012128248.tif 000010
【図９】
2012128248.tif 000011
【手続補正書】
【提出日】平成26年1月29日(2014.1.29)
【手続補正１】
【補正対象書類名】明細書
【補正対象項目名】００１４
【補正方法】変更
【補正の内容】
【００１４】
図１及び図２において、レンズ装置１０は、監視カメラに用いられるものであり、結像光学系を構成する３個の第１〜第３レンズ群（以下、レンズという）１２，１３，１４を備えている。これらの第１〜第３レンズは、図面では１個のレンズ要素で描かれているが、実際は複数のレンズ要素から構成されている。第１レンズ１２は、焦点距離を変更するバリエータレンズであり、第３レンズ１４は焦点調節をするフォーカスレンズである。これらの第１及び第３レンズは光軸２８に沿って移動する。第２レンズ１３は、リレーレンズであり、動かないように固定されている。変倍時には、第１レンズ１２が移動して像倍率を変更する。焦点調節時には第３レンズ１４が移動する。なお、ズーミングの場合は、第１レンズ１２及び第３レンズ１４が移動する。
【手続補正２】
【補正対象書類名】明細書
【補正対象項目名】００１７
【補正方法】変更
【補正の内容】
【００１７】
ガイド軸２５は、レンズ鏡胴２０の後板３３に形成された第１支持孔３４、レンズ保持枠１７に形成された孔３６、レンズ保持枠１６に形成されたガイド孔２１に順次に挿通された後、先端４１が前板３０に形成された第２支持孔３１に圧入される。ガイド軸２６の取り付けの前に、レンズ保持枠１８に形成されたガイド溝２４をガイド軸２５に係合させる。次に、ガイド軸２６は、後板３３に形成された第１支持孔３５、レンズ保持枠１８に形成されたガイド孔２２、レンズ保持枠１７に形成された孔３７、レンズ保持枠１６に形成されたガイド溝２３に順次に挿通された後、先端４２が前板３０に形成された第２支持孔３２に圧入される。
【手続補正３】
【補正対象書類名】明細書
【補正対象項目名】００１８
【補正方法】変更
【補正の内容】
【００１８】
ガイド軸２５，２６は、先端４１，４２と後端４４，４５とを有する。符号４６、４７は、後端４４，４５の端面（後端面）を表している。ガイド軸２５，２６の先端４１，４２が前板３０の第２支持孔３１，３２に圧入されたとき、後板３３に形成された第１支持孔３４，３５内に後端面４６，４７が位置する。そして、後端４４，４５と第１支持孔３４，３５との隙間に、軸押さえ部材５０が嵌め込まれる。なお、軸押さえ部材５０が後板３３に一時的に固定されるように、軸押え部材のサイズを僅か小さくして、第１支持孔３４，３５に押し込むのがよい。
【手続補正４】
【補正対象書類名】明細書
【補正対象項目名】００１９
【補正方法】変更
【補正の内容】
【００１９】
前記ガイド軸２５，２６の先端４１，４２の圧入固定を確実にして、前記第２支持孔３１，３２から抜け出ないようにするには、第２支持孔３１，３２の各辺の長さをガイド軸２５，２６の径よりも小さくする。そして、この短くした領域を肉薄とした弾性変形部とする。この弾性変形部をガイド軸２５，２６で変形させることで発生する弾性力で、ガイド軸２５，２６の先端４１，４２を押圧して、前板３０に確実に固定する。
【手続補正５】
【補正対象書類名】明細書
【補正対象項目名】００２０
【補正方法】変更
【補正の内容】
【００２０】
図３〜図５に示すように、軸押さえ部材５０は、表面５２と裏面５３とを有する板状をした本体５１と、この裏面５３に形成されたＡ字形の突起５５を備えている。この突起５５は、後板３３の第１支持孔３４，３５に挿入される。この状態のときに、裏面５３の一部がガイド軸２５，２６の後端面４６，４７に当接する。突起５５は、Ａ字の「逆Ｖ」を連結する連結片５６が斜めに延びており、その片面が押圧面５６ａとして、ガイド軸２５，２６の後端４４，４５の外周を押圧する。
【手続補正６】
【補正対象書類名】明細書
【補正対象項目名】００２２
【補正方法】変更
【補正の内容】
【００２２】
図６に示すように、第１支持孔３４は、軸押さえ部材５０の本体５１の縁部に嵌合する凹部６１と、突起５５が挿入される矩形の貫通孔６２とを備えている。本体５１の縁部が凹部６１に嵌合した状態では、本体５１の表面５２は後板３３と同一面となる。貫通孔６２の矩形を形成する四辺６３〜６６のうち、隣り合う２辺６３，６４とガイド軸２５の隙間に突起５５が圧入される。これにより、ガイド軸２５の外周が突起５５の押圧面５６ａによって、隣り合う２辺６５，６６に押圧され、所定の位置に位置決めされる。突起５５の外周縁には面取りが施され、隙間への挿入がし易いようになされている。なお、第１支持孔３５と、これに嵌合する軸押さえ部材５０も同様である。
【手続補正７】
【補正対象書類名】明細書
【補正対象項目名】００２４
【補正方法】変更
【補正の内容】
【００２４】
前記撮像素子７０は、アルミ板７１に固着されている。このアルミ板７１の背後には、回路基板７２が固定され、これに撮像素子７０が半田付けされている。アルミ板７１は、センサホルダ（撮像素子保持部材）７３に固定される。センサホルダ７３は、板状をしており、レンズ鏡胴２０の後板３３に重ねられ、その上からネジ止めされる。このセンサホルダ７３は、軸押さえ部材５０を覆う位置に脱落防止面７４が設けられ、軸押さえ部材５０の表面５２に当接している。これにより、レンズ装置１０が監視カメラの本体に取り付けられる前に、レンズ装置１０が単体で搬送されているときに、軸押さえ部材５０が第１支持孔３４，３５から抜け出て、後板３３から脱落するのが防止される。
【手続補正８】
【補正対象書類名】明細書
【補正対象項目名】００２５
【補正方法】変更
【補正の内容】
【００２５】
図７は、レンズ装置の第２実施形態を示すものである。アルミ板（撮像素子保持部材）７５に回路基板７６が固定されている。撮像素子７０は、アルミ板７５に固着されるとともに、回路基板７６に接続されている。また、撮像素子７０を覆うセンサカバー７７は、アルミ板７５に固定されている。このアルミ板７５は、レンズ鏡胴２０の後板３３にネジ止め（図示せず）される。アルミ板７５には、軸押さえ部材５０を覆う位置に脱落防止面７８が設けられている。この脱落防止面７８は、軸押さえ部材５０の本体５１の表面５２に当接して、第１支持孔３４，３５からの脱落を防止している。
【手続補正９】
【補正対象書類名】明細書
【補正対象項目名】００２６
【補正方法】変更
【補正の内容】
【００２６】
図８及び図９は、レンズ装置の第３実施形態を示す。撮像素子７０は、アルミ板８１に固着されている。このアルミ板８１は、回路基板（撮像素子保持部材）８２に固定されている。撮像素子７０をカバーしているセンサカバー８３は、回路基板８２に固定されている。回路基板８２は、レンズ鏡胴２０の後板３３にネジ止め（図示せず）される。回路基板８２には、軸押さえ部材８０を覆う位置に脱落防止面８４が設けられ、軸押さえ部材８０の受け部８５に当接して、軸押さえ部材８０の第１支持孔３４，３５からの脱落を防いでいる。なお、軸押さえ部材８０に代えて、前述した軸押さえ部材５０を用いてもよい。逆に、軸押さえ部材８０を第１及び第２実施形態に採用しても良い。
【手続補正１０】
【補正対象書類名】明細書
【補正対象項目名】００２９
【補正方法】変更
【補正の内容】
【００２９】
１０  レンズ装置
１２，１３，１４  レンズ
１６，１７，１８  レンズ保持枠
２０  レンズ鏡胴
２５，２６  ガイド軸
３１，３２  第２支持孔
３４，３５  第１支持孔
５０，８０  軸押さえ部材
５１，８６  本体
５５  突起
５６  連結片
６３〜６６  四辺
７０  撮像素子
７１，７５，８１  アルミ板
７２，７６  回路基板
７３  センサホルダ
８２  回路基板
８５  受け部
【国際調査報告】
2012128248.tif 000012
2012128248.tif 000013
2012128248.tif 000014
2012128248.tif 000015